(57)【要約】【課題】本発明は、異なるタイプのＵＳＢソケットに適用可能な回路基板を有するＵＳＢインターフェースデバイスを提供することである。【解決手段】本発明に係るＵＳＢインターフェースは、回路基板及び該回路基板に設置されるＵＳＢソケットを備え、前記回路基板には、複数の第一ピン孔と、該複数の第一ピン孔の両側に位置する複数の第一係止孔と、該第一ピン孔とは位置が異なる複数の第二ピン孔と、該複数の第二ピン孔の両側に位置する複数の第二係止孔と、が開設され、前記ＵＳＢソケットは、スロットと、該スロットから延在する複数のピン及び複数の固定部を備え、前記ＵＳＢソケットのタイプに応じて、該複数のピンが該複数の第一ピン孔に挿入されると共に該複数の固定部が該複数の第一係止孔に挿入されて係止されるか、又は、該複数のピンが該複数の第二ピン孔に挿入されると共に該複数の固定部が該複数の第二係止孔に挿入されて係止される。【選択図】図３
2012175096.tif 000002
【特許請求の範囲】
【請求項１】
回路基板及び前記回路基板に設置されるＵＳＢソケットを備えるＵＳＢインターフェースデバイスであって、
前記回路基板には、複数の第一ピン孔と、該複数の第一ピン孔の両側に位置する複数の第一係止孔と、前記第一ピン孔とは位置が異なる複数の第二ピン孔と、該複数の第二ピン孔の両側に位置する複数の第二係止孔と、が開設され、
前記ＵＳＢソケットは、スロット、前記スロットから延在する複数のピン及び複数の固定部を備え、前記ＵＳＢソケットのタイプに応じて、前記複数のピンが前記複数の第一ピン孔に挿入されると共に前記複数の固定部が前記複数の第一係止孔に挿入されて係止されるか、又は、前記複数のピンが前記複数の第二ピン孔に挿入されると共に前記複数の固定部が前記複数の第二係止孔に挿入されて係止されることを特徴とするＵＳＢインターフェースデバイス。
【請求項２】
複数の前記第一ピン孔及び複数の前記第二ピン孔は、それぞれ平行に２列に配列され、２列の前記第一ピン孔は、２列の前記第二ピン孔の間に位置することを特徴とする請求項１に記載のＵＳＢインターフェースデバイス。
【請求項３】
前記複数の第一係止孔のうちの一部の前記第一係止孔は、前記複数の第二係止孔のうちの一部の第二係止孔と完全に重なり合って形成され、他の前記第一係止孔は、他の前記第二係止孔と部分的に重なり合って形成されることを特徴とする請求項１又は２に記載のＵＳＢインターフェースデバイス。
【請求項４】
前記固定部は、前記回路基板と電気的に絶縁して固定し、前記ピンは前記回路基板に電気的に接続されることを特徴とする請求項１から３の何れか一項に記載のＵＳＢインターフェースデバイス。
【請求項５】
前記ＵＳＢソケットは直角型ＵＳＢソケットであり、前記直角型ＵＳＢソケットの前記ピン及び前記固定部は、別々に前記第一ピン孔及び前記第一係止孔に係合されることを特徴とする請求項１から４の何れか一項に記載のＵＳＢインターフェースデバイス。
【請求項６】
前記ＵＳＢソケットは直立型ＵＳＢソケットであり、前記直立型ＵＳＢソケットの前記ピン及び前記固定部は、別々に前記第二ピン孔及び前記第二係止孔に係合されることを特徴とする請求項１から４の何れか一項に記載のＵＳＢインターフェースデバイス。
【請求項７】
複数のピン及び複数の固定部を備えるＵＳＢソケットを固定するために用いられる回路基板であって、
複数の第一ピン孔と、該複数の第一ピン孔の両側に位置する複数の第一係止孔と、前記第一ピン孔とは位置が異なる複数の第二ピン孔と、該複数の第二ピン孔の両側に位置する複数の第二係止孔と、が開設され、前記ＵＳＢソケットのタイプに応じて、前記複数のピンが前記複数の第一ピン孔に挿入されると共に前記複数の固定部が前記複数の第一係止孔に挿入されて係止されるか、又は、前記複数のピンが前記複数の第二ピン孔に挿入されると共に前記複数の固定部が前記複数の第二係止孔に挿入されて係止されることを特徴とする回路基板。
【請求項８】
複数の前記第一ピン孔及び複数の前記第二ピン孔は、それぞれ平行に２列に配列され、２列の前記第一ピン孔は、２列の前記第二ピン孔の間に位置することを特徴とする請求項７に記載の回路基板。
【請求項９】
前記複数の第一係止孔のうちの一部の前記第一係止孔は、前記複数の第二係止孔のうちの一部の第二係止孔と完全に重なり合って形成され、他の前記第一係止孔は、他の前記第二係止孔と部分的に重なり合って形成されることを特徴とする請求項７及び８に記載の回路基板。
【発明の詳細な説明】
【技術分野】
【０００１】
本発明は、ＵＳＢインターフェースデバイス及びその回路基板に関するものである。
【背景技術】
【０００２】
ＵＳＢ（Ｕｎｉｖｅｒｓａｌ  Ｓｅｒｉａｌ  Ｂｕｓ）インターフェースは、コンピューターと周辺機器を接続する汎用インターフェースとして、すでに広く普及しており、外付けディスクやＵＳＢメモリ、プリンタ／スキャナ、キーボード／マウス、カメラ、音楽プレーヤー、認証デバイスほか、さまざまな機器を接続するために利用されている。ＵＳＢインターフェースデバイスは、一般的に回路基板及び前記回路基板に設置された少なくとも１つのＵＳＢソケットを備える。ＵＳＢソケットは、直立型ＵＳＢソケット及び直角型ＵＳＢソケットに分けられ、この２種類のＵＳＢソケットは、コンピューターの異なる位置に適用される。直立型ＵＳＢソケットにおいて、接続口とピンとが互いに平行するが、直角型ＵＳＢソケットにおいて、接続口とピンとが直交する。上記したように、異なるタイプのＵＳＢソケットのピンは異なる位置に分配されるので、異なるタイプのＵＳＢソケットに対応する異なる回路基板をそれぞれ設置しなければならない。従って、デザインコスト及び生産コストが向上する。
【発明の概要】
【発明が解決しようとする課題】
【０００３】
本発明の目的は、前記課題を解決し、異なるタイプのＵＳＢソケットに適用可能な回路基板を有するＵＳＢインターフェースデバイスを提供することである。
【課題を解決するための手段】
【０００４】
上記目的を達成するために、本発明に係るＵＳＢインターフェースデバイスは、回路基板及び前記回路基板に設置されるＵＳＢソケットを備え、前記回路基板には、複数の第一ピン孔と、該複数の第一ピン孔の両側に位置する複数の第一係止孔と、前記第一ピン孔とは位置が異なる複数の第二ピン孔と、該複数の第二ピン孔の両側に位置する複数の第二係止孔と、が開設され、前記ＵＳＢソケットは、スロットと、前記スロットから延在する複数のピン及び複数の固定部を備え、前記ＵＳＢソケットのタイプに応じて、前記複数のピンが前記複数の第一ピン孔に挿入されると共に前記複数の固定部が前記複数の第一係止孔に挿入されて係止されるか、又は、前記複数のピンが前記複数の第二ピン孔に挿入されると共に前記複数の固定部が前記複数の第二係止孔に挿入されて係止される。
【０００５】
上記目的を達成するために、本発明に係る回路基板は、複数のピン及び複数の固定部を備えるＵＳＢソケットを固定するために用いられる回路基板であって、複数の第一ピン孔と、該複数の第一ピン孔の両側に位置する複数の第一係止孔と、前記第一ピン孔とは位置が異なる複数の第二ピン孔と、該複数の第二ピン孔の両側に位置する複数の第二係止孔と、が開設され、前記ＵＳＢソケットのタイプに応じて、前記複数のピンが前記複数の第一ピン孔に挿入されると共に前記複数の固定部が前記複数の第一係止孔に挿入されて係止されるか、又は、前記複数のピンが前記複数の第二ピン孔に挿入されると共に前記複数の固定部が前記複数の第二係止孔に挿入されて係止される。
【発明の効果】
【０００６】
本発明に係るＵＳＢインターフェースデバイスの回路基板は、異なるタイプのＵＳＢソケットに適用することができる。即ち、前記回路基板に直角型ＵＳＢソケット又は直立型ＵＳＢソケットを装着することができる。従って、直角型ＵＳＢソケット又は直立型ＵＳＢソケットに対応する異なる回路基板の設計及び生産を必要とせず、コストを削減できる。
【図面の簡単な説明】
【０００７】
【図１】本発明の実施形態に係る直角型ＵＳＢソケットを有するＵＳＢインターフェースデバイスの立体組立図である。
【図２】図１に示すＵＳＢインターフェースデバイスの底面図である。
【図３】図１に示すＵＳＢインターフェースデバイスの立体分解図である。
【図４】本発明の実施形態に係る直立型ＵＳＢソケットを有するＵＳＢインターフェースデバイスの立体組立図である。
【図５】図４に示すＵＳＢインターフェースデバイスの底面図である。
【図６】図４に示すＵＳＢインターフェースデバイスの立体分解図である。
【発明を実施するための形態】
【０００８】
図１及び図４に示したように、本発明の実施形態に係るＵＳＢインターフェースデバイスは、回路基板１０と、前記回路基板１０に設置されている直角型ＵＳＢソケット２０又は直立型ＵＳＢソケット２０ａと、を備える。
なお、図１〜図３に示す直角型ＵＳＢソケット２０においては、後述するスロット２２の挿入方向（奥行き方向）を「横方向」とし、この横方向に対して回路基板１０の表面に沿って直交する方向（スロット２２の矩形開口の長辺に沿った方向）を「縦方向」とする。また、図４〜図６に示す直立型ＵＳＢソケット２０aにおいては、後述するスロット２２の矩形開口の短辺に沿った方向を「横方向」とし、この横方向に対して回路基板１０の表面に沿って直交する方向（スロット２２の矩形開口の長辺に沿った方向）を「縦方向」とする。
【０００９】
図２〜図３及び図５〜図６を参照すると、前記直角型ＵＳＢソケット２０及び前記直立型ＵＳＢソケット２０aは、双方とも直方体であり、少なくとも１つのスロット２２と、前記ＵＳＢソケット２０，２０aの底部から延出する８つのピン２４及び４つの固定部２６と、をそれぞれに備える。８つの前記ピン２４は、縦方向に沿った列が平行に２列、横方向に沿った列が平行に４列に配列されている。前記ピン２４のサイズは、前記固定部２６よりも小さい。また、前記ピン２４は、前記回路基板１０に電気的に接続される。前記固定部２６は、８つの前記ピン２４の四つ隅に位置し、前記ＵＳＢソケットを前記回路基板１０に電気的に絶縁して固定させる。前記スロット２２は、ＵＳＢ設備に接続するために用いられる。図１〜図３に示したように、前記直角型ＵＳＢソケット２０において、前記スロット２２の開口方向は、前記ピン２４及び前記固定部２６の延在方向に対して垂直な方向である。図４〜図６に示したように、前記直立型ＵＳＢソケット２０ａにおいて、前記スロット２２の開口方向は、前記ピン２４及び前記固定部２６の延在方向に対して平行する方向である。前記直角型ＵＳＢソケット２０と前記直立型ＵＳＢソケット２０ａとは同じ数のピン２４を有するが、双方のピン２４は互いに異なる位置に配置されている。つまり、前記直角型ＵＳＢソケット２０と前記直立型ＵＳＢソケット２０ａとは、複数のピン２４同士の相対的な位置関係、及び、複数のピン２４と固定部２６との相対的な位置関係が異なる。
【００１０】
前記回路基板１０には、第一孔群及び第二孔群が開設される。前記第一孔群は、８つの第一ピン孔１２及び４つの第一係止孔１６からなる。８つの前記第一ピン孔１２は、縦方向に沿った列が平行に２列、横方向に沿った列が平行に４列に配列されている。４つの前記第一係止孔１６は、８つの前記第一ピン孔１２の縦方向の両側に位置する。前記第一係止孔１６の直径は、前記第一ピン孔１２の直径より大きい。前記第二孔群は、８つの第二ピン孔１４及び４つの第二係止孔１８からなる。８つの前記第二ピン孔１４は、縦方向に沿った列が平行に２列、横方向に沿った列が平行に４列に配列されている。４つの前記第二係止孔１８は、８つの前記第二ピン孔１４の縦方向の両側に位置する。前記第二係止孔１８の直径は、前記第二ピン孔１４の直径より大きい。２列の前記第一ピン孔１２は２列の前記第二ピン孔１４の間に位置する。つまり、前記第二ピン孔１４は、第一ピン孔１２の横方向の両側に位置する。４つの第二係止孔１８のうちの２つの前記第二係止孔１８は、２つの前記第一係止孔１６と完全に重なり合って形成され、残りの２つの前記第二係止孔１８は、他の２つの前記第一係止孔１６と部分的に重なり合って形成される。つまり、横方向一方側（図２又は図５における左側）の係止孔は、第一係止孔１６及び第二係止孔１８を兼ねており、横方向他方側（図２又は図５における右側）の係止孔のうち、横方向一方側の部分が第一係止孔１６であり、他方側の部分が第二係止孔１８である。前記第一孔群の８つの第一ピン孔１２は、前記直角型ＵＳＢソケット２０の８つのピン２４に対応し、前記第一孔群の４つの第一係止孔１６は、前記直角型ＵＳＢソケット２０の４つの固定部２６に対応する。前記第二孔群の８つの第二ピン孔１４は、前記直立型ＵＳＢソケット２０aの８つのピン２４に対応し、前記第二孔群の４つの第二係止孔１８は、前記直立型ＵＳＢソケット２０aの４つの固定部２６に対応する。
【００１１】
図２に示したように、前記直角型ＵＳＢソケット２０を前記回路基板１０に固定する際、前記直角型ＵＳＢソケット２０の８つのピン２４及び４つの固定部２６は、それぞれ８つの前記第一ピン孔１２及び４つの前記第一係止孔１６に挿入され、固定部２６は第一係止孔１６に係止される。次いで、前記ピン２４及び前記固定部２６を前記回路基板１０に溶接する。この時、前記第二ピン孔１４及び前記第二係止孔１８は利用されない。
【００１２】
図５に示したように、前記直立型ＵＳＢソケット２０aを前記回路基板１０に固定する際、前記直立型ＵＳＢソケット２０ａの８つのピン２４及び４つの固定部２６は、それぞれ８つの前記第二ピン孔１４及び４つの前記第二係止孔１６に挿入され、固定部２６は第二係止孔１８に係止される。次いで、前記ピン２４及び前記固定部２６を回路基板１０に溶接する。この時、前記第一ピン孔１２及び前記第一係止孔１６は利用されない。
【００１３】
以上により、前記回路基板１０は異なるタイプのＵＳＢソケットに適用することができる。即ち、前記回路基板１０に直角型ＵＳＢソケット２０又は直立型ＵＳＢソケット２０ａを装着することができ、従って直角型ＵＳＢソケット又は直立型ＵＳＢソケットに対応する異なる回路基板の設計及び生産を必要とせず、コストが削減できる。
【符号の説明】
【００１４】
１０  回路基板
１２  第一ピン孔
１４  第二ピン孔
１６  第一係止孔
１８  第二係止孔
２０  直角型ＵＳＢソケット
２０ａ  直立型ＵＳＢソケット
２２  スロット
２４  ピン
２６  固定部
【図１】
2012175096.tif 000003
【図２】
2012175096.tif 000004
【図３】
2012175096.tif 000005
【図４】
2012175096.tif 000006
【図５】
2012175096.tif 000007
【図６】
2012175096.tif 000008